(57)【要約】【課題】  体形補整において引き締め効果と共に引き寄せ効果を持つ衣類の提供。【解決手段】  弾性を持った生地を使用した衣類であって、該弾性生地は地の目に対して斜め方向に弾性のある領域と該領域よりは弾性の少ない領域を交互に配置した縞模様の生地であり、縞模様の平行している弾性と縞模様の垂直方向の弾性が異なる弾力を持ち、該生地の縞模様の平行ラインを体形の補正したい方向に向けて配置してなる衣類。【選択図】図１
2018035486.tif 000002
【特許請求の範囲】
【請求項１】
人の体形を補正する弾性を持った生地を使用した衣類であって、該弾性生地は地の目に対して斜め方向に弾力性のある領域と該領域よりは弾力性の少ない領域を交互に配置した縞模様の生地であり、該生地の縞模様の平行ラインを、体形を補正したい方向に向けて配置してなる衣類。
【請求項２】
前記生地が、地の目に対して交差する二つの、互いに直交する方向の弾性が同率でない生地である請求項１の衣類。
【請求項３】
前記生地が、該生地内の縦方向と横方向と、それらと交差する前記２つの互いに直交する方向の各弾性がそれぞれ異なっている生地である請求項１の衣類。
【請求項４】
前記生地が、強弾性領域と弱弾性領域が交互に配置されて縞模様となり、その縞模様と平行に且つそれと直交する方向に伸縮する生地である請求項１の衣類。
【請求項５】
前記衣類が筒状に形成される衣類であって、該衣類の前記地の目の方向が身体長手方向に対し平行もしくは直交に配置されてなる請求項１の衣類。
【請求項６】
前記衣類が、人体胴体部分に密着する形状である請求項５の衣類。
【請求項７】
前記衣類が、人体脚部分に密着する形状である請求項５の衣類。
【請求項８】
前記衣類が、人体腕部分に密着する形状である請求項５の衣類。
【発明の詳細な説明】
【技術分野】
【０００１】  本発明は、衣類、特に体形の補正を目的にする衣類に関する。
【背景技術】
【０００２】  現在、胸部や臀部を覆うブラジャーやガードルには、引き締めと引き寄せや持ち上げの補整を目的とする衣類は多くあるが、他の身体部分では、引き締め効果のみが多く、引き寄せや持ち上げを同時効果とするものは少ない。
【先行技術文献】
【特許文献】
【０００３】
【特許文献１】特許第５２３７４９０号公報
【発明の概要】
【発明が解決しようとする課題】
【０００４】  現在、胸部や臀部に関してブラジャー、ガードルといった持ち上げや引き寄せ効果を目的とする補正衣類は多数あるが、胸部、臀部以外でも加齢等による腹部や大腿部での脂肪の下垂や身体中央から脇側への脂肪の流動等により、体形を崩している事は多くある。【０００５】  この問題を解決すべく、前記特許文献１に記載の様に、弾性の生地を用い、その生地内の最も強い弾性をもつ地の目方向を、中心から斜め方向に配置し、そのベクトルと弾力を用いて引き上げや引き寄せの補整効果を得る技術はある。【０００６】  しかし、前記特許文献１では、強い弾性方向を斜め方向に用いる事により、それよりも弱い弾性方向が人体に巻きつく為に、筒状に現れる内圧は減り、引き締め効果は弱くなる事で、引き上げる距離が縮まらず、効果は十分でない事は推察できる。【０００７】  それ故に、引き上げと引き締めの同時効果を出す場合は、弾性が現れる方向を変えて重ねたり、大きさの違う生地を重ね合わせる事で解決できるが、厚みが多くなったり、工程が難しくなる欠点がある。
【課題を解決するための手段】
【０００８】  本発明に係る衣類は、上記の問題を解決するために、人の体形を補正する弾性を持った生地を使用した衣類であって、該弾性生地は地の目に対して斜め方向に弾力性のある領域と該領域よりは弾力性の少ない領域を交互に配置した縞模様の生地であり、該生地の縞模様の平行ラインを体形の補正したい方向に向けて配置したものである。【０００９】  通常、弾性を持つ生地は、地の目とよばれる縦、横方向の各々で弾性を持たせることはできるが、地の目を軸に対称な斜めの２つの方向の弾力はほぼ同率となる。【００１０】  これに対し、本発明では、図１に示すように、地の目に対して斜め方向に弾力性のある領域１と該領域１よりは弾力性の少ない領域２を交互に配置した縞模様を構成する。そうすると、符号６の弾性方向は縞模様と直交するから、符号１，２の強弱領域が交互に現れるのに対し、符号５の弾性方向は、符号１、２の強弱領域が平行に現れる為に、符号６の弾性方向よりも強い弾力が出せる。【００１１】  上記の縞模様の生地を、例えば縦横の地の目に対し、斜めに配置して筒状に構成し、内側に身体を入れると、符号５で示す縞模様と平行な方向に強い弾力が現れる為、符号６で示す方向の弾力は、符号５の方向に引かれる事になり、一方側に引き寄せる力が現れる。この力により、流動した脂肪を元の位置に引き寄せる事が可能になる。【００１２】  上記、弾性のある強弱領域１，２は、織、編みの工程の他に、強領域には太いゲージの糸を使用し、弱い領域には細いゲージの糸を使用することで作成できる。【００１３】  他、上記生地作成法として、生地を構成する糸の一部を縞模様型に溶かして生地を薄くする事により弱部分を作る方法や、非常に密度の高い編み方で強部分を作成する方法もある。
【発明の効果】
【００１４】  本発明の生地を用いて人体に巻きつく様に円筒状に衣類を構成して、最も強い弾性を持たせた地の目を円筒状の輪方向に配置して着用すると、引き締め効果を出す事ができる。また引き寄せの補正を行いたい方向に地の目から見て斜め方向とそれと直交する方向の斜め方向とは弾性に差が生まれる事から、生地を重ね合わさずとも引き締めと引き寄せを同時に得る事が可能になる。
【図面の簡単な説明】
【００１５】
【図１】本発明に係る強弱領域を持つ縞模様の生地の一例である。
【図２】本発明に係る実施例としての上衣の正面図である。
【図３】本発明に係る実施例としての上衣の背面図である。
【図４】本発明に係る実施例としての下衣の正面図である。
【図５】本発明に係る実施例としての下衣の背面図である。
【図６】本発明に係る実施例としての下肢部靴下の正面図である。
【図７】本発明に係る実施例としての下肢部靴下の背面図である。
【図８】本発明に係る実施例としての二の腕サポーターの正面図である。
【図９】本発明に係る実施例としての二の腕サポーターの背面図である。
【発明を実施するための形態】
【００１６】  以下、実施例について、図面番号、符号を用いて説明する。先ず、図１は本発明の生地であり、符号１は弾性の強い糸を用いて作られた領域、符号２は符号１より弾性の弱い糸を用いて作られた領域であり、それらの領域の弾性は糸の弾力に比例する。その符号１，２の領域が地の目に対し斜め一方向に交互に配置されることにより、縞模様を作っている。符号３，４は地の目の方向を示し、符号５は上記の縞模様と平行に現れる弾性方向を示し、符号６は上記縞模様と直交する方向する方向に現れる弾性方向を示す。これらの弾性方向の内、符号５は縞模様と平行であるため強い弾性を持つ。これに対し、符号６は強弱の弾性が交互に現れる事から、弾性が弱くなって符号５，６の斜め方向の弾性の同率性が崩れ、符号５の方が、弾性が強くなっている。
【００１７】  図２は本発明の生地を用いたランニングシャツ型の上衣の正面図であり、図３は本発明の生地を用いた上衣の図２の背面図である。
【００１８】  図２の胸部を構成する布９には、バストの丸みを潰さない様に、伸縮性の高い生地を用い、本発明の生地は使用しない。
【００１９】  図２の胸部の布９から下の前腹部には、腹部の出っ張りを抑えるべく、そこから垂れ下がる前腹部を構成する布７は、弾力のない生地で作られており、布７の両脇には、前脇腹部を構成する布８を設け、その布８には、地の目の横方向に最も弾力を高く設定した本発明の縞模様の生地を用い、その縞模様が前腹部の布７から身体の脇に向けて斜め上方向になる様に、その縞模様を左右対称に配置している。
【００２０】  上記の配置により、前腹部から脇腹部までは、斜め上方向に強弱領域が平行な縞模様となり、該縞模様と直交する方向には、強弱領域が交互に現れる。その為に斜め方向の弾力の同率性は崩れ、縞模様と平行な脇腹部には、上方向に引き寄せる弾性が働くから、地の目の弾性による脇腹部の引き締めと上部への引き寄せる弾性で脇腹部の補正が可能となる。さらに前腹部を構成する布７にも上部へ引き寄せる力が及ぶ事によって、下垂気味の下腹部の出っ張りにも上方向の弾力をかける事ができるから、下垂した腹部に対し、より効果的な補正を行う事ができる。
【００２１】  図３の上衣背面は背中心１２に垂直な地の目を置く。
【００２２】  背面に使用する生地は、図２の脇腹部を構成する布８と同じものである。背中心１２を対称として、後ろ脇腹部を構成する布１０は、図２の前脇腹部８の縞模様に連続する生地で背中心１２に向かう斜め上向きの縞模様としており、これにより斜め上向きに高い弾性を持たせて、脇腹への引き締め、引き寄せ効果を安定させると共に、同時にヒップ部分を覆う為、ヒップにも引き締め、引き寄せの効果を与える事ができる。
【００２３】  図３の後ろ肩部を構成する布１１は、背中心１２上の中央１３から肩方向に向けて斜め上向きに縞模様を配置する事で、背中心中央１３へ肩を引き寄せ、猫背の改善になる。
【００２４】  又、上記の上衣は、本発明の生地による引き上げ効果によって生ずる衣類のずり上がりやずれを防ぐ為、それを防止する事を念頭においた衣類の設計や裾部に弾性の強いテープ１４など配置する事が望ましい。
【００２５】  又、上記説明における各符号の生地の連結は、縫合や接着などの部分連結だけでなく、連続する生地においても、本発明の領域を各補正方向に向けて縞模様を配置する事も可能である。
【００２６】  図４は、本発明の生地を用いた下衣の正面図であり、図５は本発明の生地を用いた下衣の背面図についての実施例であり、縞模様部分に当たる生地の配置構成は、図２の上衣と同じである。
【００２７】  図４の下衣の前腹部を構成する布１５は、上衣で前述した様に、前腹部の出っ張りを抑えるべく弾性の無い生地を用い、前腹部を構成する布１５の両脇に、本発明の縞模様生地で脇腹部を構成した布１６を、前腹部１５との連結部分両側から脇に向かって上方向に斜めに縞模様を配置する事で、強い弾性が脇腹部上方向に向かって現れ、これにより、脇腹部の引き締めと、上部への引き寄せが可能となり、連結される前腹部を構成する布１５にも同様の弾性がかかり、上衣同様の効果的な補正を得る事ができる。
【００２８】  図５の下衣背面では、臀部から大腿部背面を構成する布１７は、臀部中心線１８を対称として縞模様の生地の地の目を身体垂直方向に取り、弾性の大きい斜め方向となる縞模様を脇側から背中心に向けて上方向に配置する。
【００２９】  上記の配置により、前述の上衣同様にヒップの引き締めと人体中央、上方向への引き寄せが可能となる。又、大腿部背面から臀部までの弾性と方向を連続させることにより、ヒップの脂肪の脇下側への流動を、より下方から持ち上げる事ができ、更に引き寄せる効果が得られる。
【００３０】  上記、下衣の実施例は身体脇側から身体中央への引き上げを目的とした事から、図４の大腿部前面の布１９の大腿部前面にも中央への引き寄せの補整効果をだす為に、弾性の高い斜め方向の縞模様を大腿部脇側から中央に向けて上がる様に配置し、これにより前大腿部にも身体中央への引き寄せ効果を出すことができる。
【００３１】  本実施例は前述の通り、身体脇側から人体中央への引き寄せ補正効果を目的としている為、内腿部を構成する布２０には、縞模様の生地は使用せずに斜め方向が同率の弾性を持つ弾性生地を用いた。
【００３２】  本実施例の下衣も上衣で前述した同様に、足口の裾に強弾性テープ２１を用いるなど、ずり上がりに対する対策や連結方法をとる。
【００３３】  しかし、上下衣とも補整したい箇所や引き寄せたい方向は個人の体形によって違う為、本実施例は一例であり、例えば大腿部を中央から脇側へ引き寄せたい場合は、本発明の縞模様生地を逆向きに配置するといった構成や、上記の符号２０の内腿部にも本発明の生地を使用する等、配置構成や縞模様の向きについては、限定しない。
【００３４】  図６は下肢部を覆う靴下の正面図である。符号２２の土踏まずの足底から足甲の部分にリング状の強部分を構成し、符号２４の土踏まず内側から符号２５の脚部脇側の踝にかけて斜めに符号２３の如く本発明の強弱領域の縞模様を配置する。
【００３５】  符号２２の土踏まずのベルト状の強部分は、土踏まずの凹みを構成すると共に、ずり上がり防止を兼ね、符号２３は土踏まずの内側と符号２５にあたる踝の外側に縞模様の強い弾性を持たせ引き合う事で足首が内側に湾曲するのを防止することができる。
【００３６】  図７の下肢部の背面には、符号２７の様に下肢部脇側から下肢部内側に向けて斜め上方向になる様、本発明の強弱領域を持つ縞模様を配置し、下肢部正面の符号２６は本発明の強弱領域を持つ縞模様は配置せず、斜め方向が同率の弾性生地を配置する。
【００３７】  背面における本発明生地の配置により縞模様の平行方向にあたる強い弾性により下肢部の脇部分にある脂肪を内側に引き寄せる事で、人体を正面から見た場合に出っ張りの少ない脚部に補正する事ができる。
【００３８】  図６，７における靴下上辺にあたる符号２８の部分には、ずり下がりを防止する為、強い弾性を持ったテープや生地を配置する。
【００３９】  また図６，７における符号２６、２７にあたるふくらはぎ部分は、図８，９の様な筒状のサポーターとして二の腕部分への応用もでき、符号２９にあたる二の腕正面には符号２６の様に斜め方向の弾力が同率の生地を配置し、符号３０にあたる二の腕背面には、符号２７の様に強弱領域を持つ縞模様の生地で構成する。着用の場合、符号３２のサポーター上辺を二の腕の付け根側、符号３１の箇所を二の腕の脇側に来るように着用する事で、脇側から内側の上方向に向けて引き寄せる弾力が働き、下肢部ふくらはぎと同様、外側への出っ張りが抑えられる効果が得られる。
【００４０】  しかし図６，７における下肢部や図８，９における二の腕の補整も、前述した様に個人の体形により補正したい方向や箇所は違う為、配置や方向等、本実施例は一例であり限定はしない。
【符号の説明】
【００４１】１  生地の中の強い弾性領域
２  生地の中の弱い弾性領域
３  生地の横方向の地の目を表す矢印
４  生地の縦方向の地の目を表す矢印
５  弾性が強く表れる方向
６  弾性が弱く表れる方向
７  実施例としての上衣の前腹部を構成する布
８  実施例としての上衣の前脇腹部を構成する布
９  実施例としての上衣の胸部を構成する布
１０  実施例としての上衣の後ろ脇腹部を構成する布
１１  実施例としての上衣の後ろ肩部を構成する布
１２  実施例としての上衣の背中心線
１３  実施例としての上衣の背中心線中央
１４  実施例としての上衣の裾の強弾性のテープ
１５  実施例としての下衣の前腹部を構成する布
１６  実施例としての下衣の脇腹部を構成する布
１７  実施例としての下衣の臀部〜大腿部背面を構成する布
１８  実施例としての下衣の臀部中心線
１９  実施例としての下衣の大腿部前面を構成する布
２０  実施例としての下衣の内腿部を構成する布
２１  実施例としての下衣の足口裾の強弾性テープ
２２  実施例としての靴下の土踏まず部分を構成する強部分
２３  実施例としての靴下の土踏まずから脇側踝までを構成する強弱領域部分
２４  実施例としての靴下の土踏まず内側の箇所
２５  実施例としての靴下における人体脇側の踝の箇所
２６  実施例としての靴下のふくらはぎ正面を構成する部分
２７  実施例としての靴下のふくらはぎ背面を構成する部分
２８  実施例としての靴下の上辺を構成する強弾性の布
２９  実施例としての二の腕サポーターの正面部分
３０  実施例としての二の腕サポーターの背面を構成する強弱領域部分
３１  実施例としての二の腕サポーターの二の腕脇側に当たる部分
３２  実施例としての二の腕サポーターの上辺を構成する部分
【図１】
2018035486.tif 000003
【図２】
2018035486.tif 000004
【図３】
2018035486.tif 000005
【図４】
2018035486.tif 000006
【図５】
2018035486.tif 000007
【図６】
2018035486.tif 000008
【図７】
2018035486.tif 000009
【図８】
2018035486.tif 000010
【図９】
2018035486.tif 000011